(57)【要約】【課題】排水用の落水孔がゴミによって詰まることを防ぎ、変形や破損するおそれが少なく、バルコニー床の水を排水できる排水用ドレン構造を提供する。【解決手段】上ドレン部Ａと下ドレン部Ｂとゴミ除け部Ｃとからなるドレン構造であって、上記上ドレン部Ａは落水排水孔１１を有する蓋体１と上記排水溝部６の底面６１に穿たれた貫通孔６１１に嵌装される落水筒２とからなり、上記下ドレン部Ｂは筒本体３１と該筒本体３１の上面開口部周縁に設けられた支持鍔部３２とから一体的に形成され、上ドレン部Ａに排水溝部６の底面６１を挟んで着脱自在とされ、上記ゴミ除け部Ｃは線材４を基端部４１より先細螺旋状に巻き上げて形成され、上記上ドレン部Ａに着脱自在に係止されてなる。【選択図】図１
2009256986.tif 000002
【特許請求の範囲】
【請求項１】
バルコニー床の前端部に沿って設けられる排水溝部の排水ドレン構造であって、該ドレン構造は上ドレン部と下ドレン部とゴミ除け部とからなり、上記上ドレン部は落水排水孔を有する蓋体と上記排水溝部の底面に穿たれた貫通孔に嵌装される落水筒とからなり、上記下ドレン部は筒本体と該筒本体の上面開口部周縁に設けられた支持鍔部とから一体的に形成されるとともに、上ドレン部に排水溝部の底面を挟んで着脱自在に嵌着され、上記ゴミ除け部は線材を基端部より先細螺旋状に巻き上げて形成され、上記上ドレン部に着脱自在に係止されてなるバルコニーの排水用ドレン構造。
【請求項２】
バルコニー床の前端部に沿って設けられる排水溝部の排水ドレン構造であって、該ドレン構造はドレン部材とゴミ除け部とからなり、上記ドレン部材は円筒体と該円筒体の上面開口部周縁に設けられた支持鍔部とから一体的に形成され、上記ゴミ除け部は線材を基端部より先細螺旋状に巻き上げて形成され、上記ドレン部の円筒体内周面に着脱自在に係止されてなるバルコニーの排水用ドレン構造。
【請求項３】
上記ゴミ除け部はバネ弾性を有する線材をリング状に形成して基端部とし、該基端部から上下に隙間を設けて先細螺旋状に巻き上げてなる請求項１または２に記載のバルコニーの排水用ドレン構造。
【請求項４】
上記ゴミ除け部の基端部をリング状に形成するとともに、該基端部の終端を上記基端部の直径方向に延出し係止部としてなる請求項１に記載のバルコニーの排水用ドレン構造。
【発明の詳細な説明】
【技術分野】
【０００１】
本願発明は、バルコニー床（外廊下を含む）の水を排水するためのバルコニーの排水構造に関し、更に詳しくは、バルコニー床の前端部に沿って設けられる排水溝部の排水用ドレンの構造に関するものである。
【背景技術】
【０００２】
従来、二階建建物の一階部分に設けられた平屋部、例えば、玄関部分やエントランス部分の上にバルコニーを設けることが一般的に行われている。このバルコニーは、通常、バルコニー前面パネル、バルコニー左右袖壁パネルを備えているが、屋根で覆われずに露天であり、雨水が直接降りかかるため、バルコニー床には排水手段が設けられている。
【０００３】
上記バルコニー床に降った雨水は、通常、前下がりの勾配が付けられたバルコニー床の前端部の全長にわたって設けられた排水溝部に流入し、排水用のドレンから、排水縦管に排水するようにされている。
【０００４】
上記したように、バルコニーは露天であり、雨のみならず、落ち葉や枯れ枝、紙切れ等のゴミもバルコニー床に溜まるため、吹き降りの際や水掃除の際、水と共に排水溝部に流入して排水用のドレンを詰まらせるという問題がある。そして、排水が困難となったときは、二階建建物の二階部分のバルコニーへの出入り用の開口部側から二階部分に流れ込むおそれがあり、あるいは、バルコニー床の漏水の原因ともなる。
【０００５】
また、上記排水用ドレンは、バルコニーへ出入りする人によって踏みつけられ、蹴つまずかれたりするため、変形や破損することが多く、頻繁に取り替えなければならないという問題もある。
【０００６】
一方、実公平６−３６１３６号公報には、バルコニー床の前端部及び側端部にそれぞれバルコニー前面パネル及びバルコニー袖壁パネルを立設したバルコニーにおいて、バルコニー床の前端部にバルコニー前面パネルに沿って排水樋部を設け、この排水樋部を長手方向に複数に分割して各分割排水樋部の端部の上部間をカバーで覆って成るバルコニーの排水構造が提案されている。
【特許文献１】実公平６−３６１３６号公報
【発明の開示】
【発明が解決しようとする課題】
【０００７】
上記特許文献１に記載のバルコニーの排水構造においては、複数の分割排水樋部に分かれて流れる排水が、各分割排水樋部の底面に設けられた排水ドレンを経て排水する技術が開示されているが、上記した問題を十分に解決できるものとはいえない。
【０００８】
本願発明は、上記背景技術に鑑みてなしたものであり、その目的は、排水用の落水孔が落ち葉や枯れ枝、紙切れ等のゴミによって詰まることを防ぎ、バルコニーへ出入りする人によって踏みつけられ、蹴つまずかれても、変形や破損するおそれが少なく、バルコニー床の排水をスムースに行うことのできるバルコニー用ドレンを提供することである。
【課題を解決するための手段】
【０００９】
上記課題を解決するために、本願請求項１記載の発明に係るバルコニーの排水用ドレン構造は、バルコニー床の前端部に沿って設けられる排水溝部の排水ドレン構造であって、該ドレン構造は上ドレン部と下ドレン部とゴミ除け部とからなり、上記上ドレン部は落水排水孔を有する蓋体と上記排水溝部の底面に穿たれた貫通孔に嵌装される落水筒とからなり、上記下ドレン部は筒本体と該筒本体の上面開口部周縁に設けられた支持鍔部とから一体的に形成されるとともに、上ドレン部に排水溝部の底面を挟んで着脱自在に嵌着され、上記ゴミ除け部は線材を基端部より先細螺旋状に巻き上げて形成され、上記上ドレン部に着脱自在に係止されてなることを特徴としている。
【００１０】
本願請求項２記載の発明に係るバルコニーの排水用ドレン構造は、バルコニー床の前端部に沿って設けられる排水溝部の排水ドレン構造であって、該ドレン構造はドレン部材とゴミ除け部とからなり、上記ドレン部材は円筒体と該円筒体の上面開口部周縁に設けられた支持鍔部とから一体的に形成され、上記ゴミ除け部は線材を基端部より先細螺旋状に巻き上げて形成され、上記ドレン部の円筒体内周面に着脱自在に係止されてなることを特徴としている。
【００１１】
本願請求項３記載の発明は、上記請求項１又は請求項２記載のバルコニーの排水用ドレン構造において、上記ゴミ除け部はバネ弾性を有する線材をリング状に形成して基端部とし、該基端部から上下に隙間を設けて先細螺旋状に巻き上げてなることを特徴としている。
【００１２】
バネ弾性を有する線材としては、特に限定されず、ステンレススティール、条鋼、銅、真鍮等の金属類、ポリプロピレン、ポリエチレン、ポリ塩化ビニル樹脂等のプラスチック類等をあげることができる。上記バネ弾性を有する線材の中でも、特にステンレススティール製の線材が好ましく用いられる。
【００１３】
本願請求項４記載の発明は、上記請求項１記載のバルコニーの排水用ドレン構造において、上記ゴミ除け部の基端部をリング状に形成するとともに、該基端部の終端を上記基端部の直径方向に延出し係止部としてなることを特徴としている。
【発明の効果】
【００１４】
本願請求項１記載の発明に係るバルコニーの排水用ドレン構造においては、上ドレン部と下ドレン部とゴミ除け部とからなり、上記上ドレン部の蓋体には落水排水孔が穿たれ、上記蓋体と共に上ドレン部を構成する落水筒は、バルコニー床の排水溝部の底面に穿たれた貫通孔に嵌装され、上記下ドレン部は筒本体と該筒本体の上面開口部周縁に設けられた支持鍔部とから一体的に形成され、かつ、上記下ドレン部は上ドレン部に排水溝部の底面を挟んで着脱自在に嵌着され、線材を基端部より先細螺旋状に巻き上げて形成された上記ゴミ除け部は、上記上ドレン部に着脱自在に係止されてなるため、上記ゴミ除け部が落水排水孔に落ち葉や枯れ枝、紙切れ等のゴミが詰まって塞がることを防ぎ、バルコニー床の排水をスムースに行うことができる。
【００１５】
本願請求項２記載の発明に係るバルコニーの排水用ドレン構造においては、ドレン部材とゴミ除け部とからなり、上記ドレン部材は円筒体と該円筒体の上面開口部周縁に設けられた支持鍔部とから一体的に形成され、上記ゴミ除け部は線材を基端部より先細螺旋状に巻き上げて形成され、上記ドレン部の円筒体内周面に着脱自在に係止されてなるため、上記ゴミ除け部が落水排水孔に落ち葉や枯れ枝、紙切れ等のゴミが詰まって塞がることを防ぎ、バルコニー床の排水をスムースに行うことができる。
【００１６】
本願請求項３記載の発明に係るバルコニーの排水用ドレン構造においては、上記ゴミ除け部はバネ弾性を有する線材をリング状に形成してなる基端部と、この基端部から上下に隙間を設けて先細に巻き上げてなる螺旋状の部分とからなり、この螺旋状部でゴミを阻止するため、バルコニー床からの水は上記隙間から容易に排水することができる。また、上記螺旋状部の最上部をリング状に形成することにより、螺旋状部にゴミが詰まってもこのリング状部から排水を行うことができる。
【００１７】
また、バルコニーへ出入りする人によって踏みつけられ、蹴つまずかれても、バネ弾性を有する線材が弾性復帰するため、変形や破損することが少なく、従来の排水用ドレンに比べて保守が容易となる。
【００１８】
本願請求項４記載の発明に係るバルコニーの排水用ドレン構造においては、上記ゴミ除け部の基端部をリング状に形成し、該基端部の終端を上記基端部の直径方向に延出し係止部とすることにより、請求項１に記載の上ドレン部に設けられた係合孔部に挿脱自在となり、ゴミが堆積したときはゴミ除け部を上ドレン部から取り外して容易に掃除をすることができる。
【発明を実施するための最良の形態】
【００１９】
以下、本願発明に係るバルコニーの排水用ドレン構造の実施形態について図面を参照して詳細に説明する。図１は、本願第１発明にかかるバルコニーの排水用ドレン構造を示す分解説明図であり、その一部は断面で示されている。図１に示すように、上記バルコニーの排水用ドレン構造は、バルコニー床７の前端部に沿って設けられた排水溝部６に穿たれた図外貫通孔に嵌装される上ドレン部Ａと下ドレン部Ｂとゴミ除け部Ｃとから構成される。
【００２０】
図１に示すように、上記上ドレン部Ａは蓋体１と落水筒２とからなり、蓋体１は落水排水孔１１と後記する係合孔部１２とを有するとともに、上記落水筒２の外周面には雄ネジ２１が設けられている。また、下ドレン部Ｂは略円筒状の筒体３から構成され、筒本体３１と筒本体３１の上面開口部周縁に設けられた支持鍔部３２とからなり、上記筒本体３１の内周面には上記雄ネジ２１と螺合する雌ネジ３３が刻設されている。上記した構成により、上ドレン部Ａと下ドレン部Ｂとは排水溝部６の底面６１を挟んで上記雄ネジ２１と雌ネジ３３とにより着脱自在に螺嵌される。
【００２１】
上記ゴミ除け部Ｃは、例えば直径２．５ｍｍのステンレススティール製の線材４を内径５２ｍｍのリング状の基端部４１から上下に隙間を設けて先細螺旋状に巻き上げてなり、最上部４２も内径２５ｍｍのリング状に形成され、上記基端部４１の終端はリングの直径方向に延出して係止部４３とされている。上記係止部４３は前記した係合孔部１２に挿入され、かくしてゴミ除け部Ｃは上ドレン部Ａに着脱自在に係止され、バルコニーへ出入りする人によって踏みつけられ、蹴つまずかれても、変形や破損するおそれがなく、バネ弾性により弾性復帰することができる。
【００２２】
図２は、本願第１発明に係る排水用のドレン構造を排水溝部６の底面６１に穿たれた貫通孔６１１に嵌着した状態を示す部分断面側面図である。図２に示すように、バルコニー床７に降りかかった雨水や、掃除等に使用した水はバルコニー床７の上を流れて排水溝部６に流入し、上記水に同伴した落ち葉や枯れ枝、紙切れ等のゴミは上記排水用のドレン構造で阻止され、水のみをスムースに排水することができる。
【００２３】
また、上記したゴミが堆積してゴミ除け部Ｃが詰まったときは、ゴミ除け部Ｃの係止部４３を係合孔部１２から抜き出すことにより、ゴミ除け部Ｃを上ドレン部Ａから簡単に取り外せる。このようにして、落ち葉や枯れ枝等を容易に除去することができる。
【００２４】
図３は、本願第２発明に係るバルコニーの排水用ドレン構造を示す分解説明図であり、その一部は断面で示されている。図３に示すように、上記バルコニーの排水用ドレン構造は、バルコニー床７の前端部に沿って設けられた排水溝部６に穿たれた図外貫通孔に嵌装されるドレン部材Ｄとゴミ除け部Ｃとから構成される。
【００２５】
図３に示されるように、上記ドレン部材Ｄは円筒体５と該円筒体５の上面開口部周縁に設けられた支持鍔部５１とから一体的に形成されるとともに、ゴミ除け部Ｃは、例えばステンレススティール製の直径２．５ｍｍの線材４をリング状の内径５２ｍｍの基端部４１から上下に隙間を設けて先細螺旋状に巻き上げてなり、最上部４２も内径２５ｍｍのリング状に形成されている。
【００２６】
上記リング状の基端部４１はバネ弾性を有しているため、上記ドレン部材Ｄの円筒体５の内周面に着脱自在に弾性係止することができ、また、基端部４１の円筒体５の内周面への上下の係止位置を調節することにより、支持鍔部５１からのゴミ除け部Ｃの出寸法を調節することができる。
【００２７】
このようにすることにより、排水溝部６の深さに合わせてゴミ除け部Ｃの高さを調節することが可能となり、また、バルコニー床７から流入する水の量に対応して排水量を適宜調節することができる。
【００２８】
図４は、上記本願第２発明に係る排水用のドレン構造を排水溝部６の底面６１に穿たれた貫通孔６１１に嵌着した状態を示す部分断面側面図である。図４に示すように、バルコニー床７に降りかかった雨水や、掃除等に使用した水はバルコニー床７の上を流れて排水溝部６に流入し、上記水に同伴した落ち葉や枯れ枝、紙切れ等のゴミは上記排水用のドレン構造で阻止され、水のみをスムースに排水することができる。
【００２９】
図５は、上記したゴミの発生が少ないときや、バルコニー床７の面積が小さく排水量が比較的少ないときに本願第２発明に係る排水用のドレン構造を排水溝部６の底面６１に穿たれた貫通孔６１１に嵌着した状態を示す部分断面側面図である。図５に示すように、ゴミ除け部Ｃのリング状の基端部４１をドレン部材Ｄの円筒体５の内に深く嵌装して弾性係止することにより、少量の水のみをスムースに排水することができる。
【００３０】
また、ゴミ除け部Ｃに上記したゴミが堆積して詰まったときは、基端部４１を円筒体５から抜き出すことにより、ゴミ除け部Ｃをドレン部材Ｄから簡単に取り外せるため、堆積した落ち葉や枯れ枝、紙切れ等のゴミを容易に除去することができる。
【００３１】
なお、本願第１発明においては、上ドレン部Ａと下ドレン部Ｂとが排水溝部６の底面６１を挟むように装着され、本願第２発明においては、ドレン部材Ｄの支持鍔部５１が排水溝部６の底面６１上に密接に装着されているが、必要に応じて適宜パッキンを介装し、水密性を向上させてもよい。このように、本願発明は設計変更自在であり、特許請求の範囲を逸脱しない限り本願発明の技術的範囲に属する。
【図面の簡単な説明】
【００３２】
【図１】本願第１発明に係るバルコニーの排水用ドレン構造をその一部を断面で示す分解説明図。
【図２】本願第１発明に係る排水用のドレン構造を排水溝部の底面に穿たれた貫通孔に嵌着した状態を示す部分断面側面図。
【図３】本願第２発明に係るバルコニーの排水用ドレン構造をその一部を断面で示す分解説明図。
【図４】本願第２発明に係る排水用のドレン構造を排水溝部の底面に穿たれた貫通孔に嵌着した状態を示す部分断面側面図。
【図５】本願第２発明に係る排水用のドレン構造をゴミの発生が少ないときや、バルコニー床の面積が小さく排水量が比較的少ないとき、排水溝部の底面に穿たれた貫通孔に嵌着した状態を示す部分断面側面図。
【符号の説明】
【００３３】
Ａ      上ドレン部
Ｂ      下ドレン部
Ｃ      ゴミ除け部
Ｄ      ドレン部材
１      蓋体
１１    落水排水孔
１２    係合孔部
２      落水筒
２１    雄ネジ
３      筒体
３１    筒本体
３２    支持鍔部
３３    雌ネジ
４      線材
４１    基端部
４２    最上部
４３    係止部
５      円筒体
５１    支持鍔部
６      排水溝部
６１    底面
６１１  貫通孔
７      バルコニー床
【図１】
2009256986.tif 000003
【図２】
2009256986.tif 000004
【図３】
2009256986.tif 000005
【図４】
2009256986.tif 000006
【図５】
2009256986.tif 000007